(57)【要約】【課題】  留守番モードでファクシミリ受信したら、使用する回線網によらず録音を確実に終了させる。【解決手段】  外付け電話機を接続する第２の端子を第１の端子を介して公衆回線に接続する第１の状態と、第２の端子を第１の端子から切断して電源部の側に接続する第２の状態とを切り替えるための第１のスイッチと、第１のスイッチと電源部との間に設けられ、第１のスイッチの端子と電源部との接続の有無を切り替えるための第２のスイッチを備える。受信する信号がファクシミリ信号である場合は、第１のスイッチにより前記第２の状態にする共に、第２のスイッチにより第２の端子と電源部との接続を切断する。【選択図】  図２
2010178181.tif 000002
【特許請求の範囲】
【請求項１】
公衆回線を介してファクシミリ通信を行うことが可能なファクシミリ装置であって、
前記公衆回線に接続するための第１の端子と、
前記公衆回線を介して音声通話を行う留守番録音機能付き電話機を接続するための第２の端子と、
前記公衆回線を介して前記ファクシミリ信号の送受信を行なう通信部と、
前記第２の端子に接続された電話機に供給する電圧を生成する電源部と、
前記第２の端子を前記第１の端子を介して前記公衆回線に接続する第１の状態と、前記第２の端子を前記第１の端子から切断して前記電源部の側に接続する第２の状態とを切り替えるための第１のスイッチと、
前記第１のスイッチと前記電源部との間に設けられ、前記第２の端子と前記電源部との接続の有無を切り替えるための第２のスイッチと、
前記ファクシミリ通信を行なう際には、前記第１のスイッチにより前記第２の状態にする共に、前記第２のスイッチにより前記第２の端子と前記電源部との接続を切断するように制御する制御手段と、
を有することを特徴とするファクシミリ装置。
【請求項２】
前記制御手段は、前記第１の端子を介して受信する信号がファクシミリ信号であるかを判定し、ファクシミリ信号である場合は、前記第１のスイッチにより前記第２の状態にする共に、前記第２のスイッチにより前記第２の端子と前記電源部との接続を切断することを特徴とする請求項１記載のファクシミリ装置。
【請求項３】
前記電源部は、オフフック検出用の電圧を生成することを特徴とする請求項１又は２に記載のファクシミリ装置。
【請求項４】
前記制御手段は、受信モードをファクシミリ優先モードと電話優先モードとに切り替え可能であり、
前記ファクシミリ優先モードでは、前記第１のスイッチにより前記第２の状態にすると共に、前記第２のスイッチにより前記第１のスイッチと前記電源部とが接続された状態となるように制御し、
前記電話優先モードでは、前記第１のスイッチにより前記第１の状態にすることを特徴とする請求項１乃至３のいずれか記載のファクシミリ装置。
【請求項５】
前記電話機は、前記公衆回線からの信号の着信に基づいて録音を開始し、少なくとも無音状態を検知することで録音を終了することを特徴とする請求項１乃至４のいずれか記載のファクシミリ装置。
【請求項６】
前記通信部は、ファクシミリ通信のための半導体化データアクセス装置を有することを特徴とする請求項１乃至５のいずれか記載のファクシミリ装置。
【請求項７】
原稿を読み取ってファクシミリ送信するための画像データを生成するスキャナと、ファクシミリ受信した画像データをプリントするためのプリンタを更に有することを特徴とする請求項１乃至６のいずれか記載のファクシミリ装置。
【発明の詳細な説明】
【技術分野】
【０００１】
本発明は、公衆回線を介してファクシミリ通信を行うことが可能なファクシミリ装置に関するものである。
【背景技術】
【０００２】
特許文献１は、外付けの留守番電話機を接続することができるファクシミリ装置を開示している。この装置は、留守番モードが設定されている場合にもファクシミリ信号を受信すれば、ＣＮＧ信号を検出することで、ファクシミリの受信を行う。留守番モードにおいては、ファクシミリの受信が終了するまでは、装置内部で生成した擬似ビジートーン信号を外付け電話機に送信する。電話機はこの擬似ビジートーンを検知することで、通話が終わったと判断して録音を終了する。これにより、長時間、無音やＣＮＧ信号を録音してしまうことを回避する。
【特許文献１】特開平９−９３４１７号公報
【発明の開示】
【発明が解決しようとする課題】
【０００３】
特許文献１の装置は、擬似ビジートーン信号によって外付け電話機の録音が終了するように操作するものである。しかしながら、回線網インフラの違い（国ごとに異なる）によってビジートーン信号の周波数や間隔が異なる場合がある。そのため、使用する回線網によってはビジートーンを検知できず、録音の停止が行なえない不具合が生じる。また、擬似ビジートーン信号を発生するためには、装置内部の安全規格を満たすため専用のトランス等を用いた絶縁構成が必要になるために、装置のコストアップとなる。
【０００４】
本発明は上述の課題の認識に基づいてなされたものである。本発明の目的は、外付け電話機が留守番モードのときにファクシミリ受信したら、使用する回線網によらず録音を確実に終了させることができるファクシミリ装置を提供することである。本発明のさらなる目的は、コストアップを避けて上述のファクシミリ装置を実現することである。
【課題を解決するための手段】
【０００５】
上述の課題を解決し、目的を達成するために、本発明のファクシミリ装置は、公衆回線を介してファクシミリ通信を行うことが可能なファクシミリ装置であって、前記公衆回線に接続するための第１の端子と、前記公衆回線を介して音声通話を行う留守番録音機能付き電話機を接続するための第２の端子と、前記公衆回線を介して前記ファクシミリ信号の送受信を行なう通信部と、前記第２の端子に接続された電話機に供給する電圧を生成する電源部と、前記第２の端子を前記第１の端子を介して前記公衆回線に接続する第１の状態と、前記第２の端子を前記第１の端子から切断して前記電源部の側に接続する第２の状態とを切り替えるための第１のスイッチと、前記第１のスイッチと前記電源部との間に設けられ、前記端子と前記電源部との接続の有無を切り替えるための第２のスイッチと、前記ファクシミリ通信を行なう際には、前記第１のスイッチにより前記第２の状態にする共に、前記第２のスイッチにより前記端子と前記電源との接続を切断するように制御する制御手段と、を有することを特徴とする。
【発明の効果】
【０００６】
以上のように、本発明のファクシミリ装置によれば、外付けの電話機が留守番モードのときにファクシミリ受信したら、使用する回線網によらず録音を確実に終了させることができる。また、コストアップを避けて上述のファクシミリ装置を実現することができる。
【発明を実施するための最良の形態】
【０００７】
［第１実施形態］
図１は、公衆回線を介してファクシミリ通信を行うことが可能なファクシミリ装置１００の電気的構成を示したブロック図である。ＣＰＵ１０１は、ＲＯＭ１０２に格納されたプログラムにしたがって、ファクシミリ装置を制御する。このファクシミリ装置は複数の動作モードを備えている。ＣＰＵ１０１は、例えば受信モードを電話優先モードやファクシミリ優先モードを選択して制御を行う。後述するように、この装置は、電話（音声通話）とファクシミリ通信とを自動で切替えを行う機能を備えている。ＣＰＵ１０１は、制御部（通信制御部）１０４を用いたデータ通信、読取部１０９を用いた原稿の読取動作、記録部１０８を用いた記録媒体への記録動作、を制御する。ＲＯＭ１０２には、後述するフローチャートに示すプログラム、モデム部１０５の制御するプログラム、ナンバーディスプレイの表示等を行うプログラム等を格納している。
【０００８】
ＲＡＭ１０３は、ファクシミリ装置１００の各動作を実行するときに各種のデータを一時的に記憶するためのメモリである。このＲＡＭ１０３は、例えば、ダイナミックＲＡＭ（ＤＲＡＭ）である。受信された画像データは、ＲＡＭ１０３に記憶され、記録部１０８によって記録用紙に記録された後に、このメモリから消去される。また、読取部１０９によって読取られた画像データも、このＲＡＭ１０３に記憶される。
【０００９】
制御部１０４は、公衆回線１３１と接続するインターフェースであり、局交換機の電話回線に接続されている。制御部１０４は、ダイオードによる全波整流回路を含む、ファクシミリ通信のための半導体化データアクセス装置であるＳｉＤＡＡ１５１を備えている。ＳｉＤＡＡとは、ファクシミリ装置の小型化を目的として、電話回線とのインターフェース（Ｉ／Ｆ）部に、半導体化されたデータアクセス装置であり、半導体化ＤＡＡ（Ｄａｔａ  Ａｃｃｅｓｓ  Ａｒｒａｎｇｅｍｅｎｔ）とも呼ばれる。制御部１０４は、更に、回線電圧の極性を一致させる極性一致回路、局交換機からの呼び出し信号を検出するリンガー検出回路を備えている。モデム部１０５は、画情報及び通信データを変調及び復調して伝送し、制御部１０４を介して電話回線１３０と接続されファクシミリ通信を行う。また、ＳｉＤＡＡ１５１は、オフフック整流器、直流ループカット用コンデンサなどを備えている。ＳｉＤＡＡ１５１とモデム部１０５によって、ファクシミリ信号の送受信を行なうための通信部が構成されている。
【００１０】
読取部１０８は、原稿を読み取ってファクシミリ送信するための画像データを生成するための、フラットベット方式又はシートスルー方式のスキャナを備える。ファクシミリ送信する場合は画像データは通信に適した符号化される。また、ファクシミリ受信する場合は、復号化されたデータに基づいて記録部１０８にて記録紙に記録される。記録部１０８は、ファクシミリ受信した画像データをプリントするための、インクジェット方式やサーマル方式などのプリンタを備える。プリンタは、記録紙を搬送する搬送モータ、記録ヘッドを搭載したキャリッジを移動させるキャリッジモータ、インクを吐出する記録ヘッド等を有している。
【００１１】
アンプ部１０６は、スピーカ１０７を鳴動して、呼出音や警告音を出力する。センサ部１１０は、記録紙の有無の検出や、記録ヘッドの位置、カバーの開閉等の検出を行う。表示部１１１は、ファクシミリの操作や時刻の表示や通信中の回線状態およびエラー等の状態の表示を行い、カラーＬＣＤ等の表示デバイスで構成される。操作部１１２は、ダイヤル番号やＵＲＬ等のアルファベットや記号等を入力するためのダイヤルキー、ファクシミリの送受信を行うための送信キー及び受信キーを備える。操作部１１２は、さらにオンフックとオフフックの状態の切替えを行うフックキー、機能設定を行うためのセレクトキー等のキーを備える。
【００１２】
電源部１１３は、外部から入力した商用電源からＤＣ電圧を生成するスイッチング電源である。この電源部１１３は、ＣＰＵ１０１等のロジック回路に供給する電圧（例えば５ボルト）、記録ヘッドの駆動電圧、外付け電話機のオフフック検出用の電圧（２４ボルト）、擬似ＣＩ用の電圧（マイナス１５０ボルト）等を生成する。このように、電源部１１３は、オフフック検出に使用する電圧、擬似ＣＩに使用される電圧を生成する。
【００１３】
外付け電話機のオフフック検出用の電圧を出力する場合には、外付け電話機がオフフックしたことを検出するために十分な電流が電源部１１３から供給される。なお、この電源部１１３から外付け電話機へ、呼び出し信号（ＣＩ信号）を出力できる構成となっている。このときには、上述したマイナス１５０ボルトの矩形状のパルス信号が出力される。
【００１４】
外付け電話機１４１は、公衆回線を介して音声通話を行う留守番録音機能付き電話機である。外付け電話機１４１は、図２に示すように公衆回線にＳｉＤＡＡ１５１と並列接続されている。
【００１５】
外付け電話機１４１には録音機能を備えており、公衆回線から受信される音声データをメモリやテープ等の媒体を有する録音部で録音する。例えば、外付け電話機１４１は、着信すれば録音を開始（スタート）する。また、外付け電話機１４１は、電話回線から送られるビジートーン信号の検知、無音状態の検知、極性反転の検知等により録音を終了する。このように、外付け電話機１４１は、録音を終了する条件を複数備えている。外付け電話機１４１は上述したいずれかの条件を満たせば、録音を終了する。すなわち、外付け電話機１４１は、公衆回線からの信号の着信に基づいて録音を開始し、少なくとも無音状態を検知することで録音を終了するようになっている。
【００１６】
図２は、ＳｉＤＡＡ１５１を備える制御部１０４の構成を説明する図である。ＳｉＤＡＡ１５１は、電圧検出部１６１、ＣＯＤＥＣ１６２、シリアルインターフェース部１６３を備えている。
【００１７】
Ｌ１，Ｌ２はファクシミリ装置を、公衆回線網１３１に繋がっている電話回線１３０へ接続するための二極端子（第１の端子）であり、Ｔ１，Ｔ２はファクシミリ装置を外付け電話機１４１へ接続するための二極端子（第２の端子）である。
【００１８】
電圧検出部１６１は、電話回線１３０の電圧を検出する。ＳＷ１が図２に示すような状態であれば、電圧検出部１６１が電話回線１３０の電圧の変化により、外付け電話機がオンフックかオフフックかを検出できる。
【００１９】
ＣＯＤＥＣ１６２は、ファクシミリ信号（ファクシミリデータ）のＡ／Ｄ変換、Ｄ／Ａ変換を行う。このデータは、シリアルインターフェース部１６３とモデム１０５との間はシリアル通信によりデジタルデータが転送される。
【００２０】
制御部１０４は、更に、外付電話１４１の電話回線との接続／非接続の切替えを行うスイッチ（リレー）ＳＷ１、ＳＷ１と電源部１１３と接続／切断の切替えを行うスイッチ（リレー）ＳＷ２とを備えている。ファクシミリ装置は複数の動作モードに応じて、これらのスイッチの状態が定められている。なお、このスイッチＳＷ２は、メカニカルリレー、電子リレー、フォトリレーなどが適用できる。
【００２１】
スイッチＳＷ１と端子Ｔ１との間に、電流検出部１５３を備えている。このＳＷ１とＳＷ２とを介して外付電話１４１と電源部１１３とが接続されていれば、ＣＰＵ１０１は電流検出部１５３を用いて外付け電話機がオンフックかオフフックかを知ることができる。
【００２２】
外付け電話機１４１の接続先を変更するスイッチ（リレー）ＳＷ１は、ＣＰＵ１０１から出力される信号Ｃ１により制御される。信号線の接続／切断を切替えるスイッチ（リレー）ＳＷ２は、ＣＰＵ１０１から出力される信号Ｃ２により制御される。ＳＷ１と電源部１１３とを結ぶ信号線は、ＳＷ２がオンの状態で接続され、ＳＷ２がオフの状態で切断させている。
【００２３】
電流検出部１５３は、一方向の電圧で動作するフォトカップラ（片方向フォトカプラ、センサ）を備え、ＣＰＵ１０１には、フォトカプラ１５３の出力状態が信号線Ｓを介して入力される。別の表現をすれば、ＣＰＵ１０１は、フォトカプラ１５３が設けられている信号線の信号レベルについての情報を取得できる。例えば、このオフフック状態であれば、信号Ｓの信号レベルは“Ｈ”レベル（ハイレベル）であり、オンフック状態であれば、信号Ｓの信号レベルは“Ｌ”レベル（ロウレベル）とする。
【００２４】
モデム部１０５は、絶縁部１５４により電話回線１３０と絶縁が取られている。絶縁部１５４は、高耐圧コンデンサが用いられる。以上のような構成によりモデム部１０５は、制御部１０４を介して電話回線１３０と接続されファクシミリ通信を行う。
【００２５】
次に、制御部１０４による制御について説明する。ＣＰＵ１０１の指示に基づいて制御部１０４は、受信モードをファクシミリ優先モードと電話優先モードとに切り替え可能である。図２は、外付け電話機１４１と電話回線１３０とが接続されている状態（第１状態）である。また、ＳＷ１と電源部１１３とは接続されている状態である。この図２に示す状態は、ファクシミリ装置の受信モードが電話優先モードの場合である。すなわち、電話優先モードでは、第１のスイッチを制御して、第２の端子を第１の端子を介して公衆回線に接続する第１の状態にする。
【００２６】
一方、ファクシミリ装置の受信モードがファクシミリ優先モードの場合には、ＳＷ１は、外付け電話機１４１とＳＷ２と接続されている状態（第２状態）となるように制御されると共に、ＳＷ２をオンするように制御される。すなわち、ファクシミリ優先モードでは、第１のスイッチにより第２の状態にすると共に、第２のスイッチにより第１のスイッチと電源部１１３とが接続された状態となるように制御する。この制御により、外付け電話機１４１は、電源部１１３と接続され、電源部１１３で生成した電圧が外付け電話機１４１に供給されている状態となる。
【００２７】
図３のフローチャートを用いて、ファクシミリ装置の制御を説明する。電話優先モードが設定されていると、公衆回線から着信があれば、外付け電話機１４１は、録音部において受信する音声信号（音声データ）を録音する。
【００２８】
Ｓ１０１は、着信待ちの状態である。Ｓ１０１にて、着信が発生する（Ｙ）と、外付け電話機１４１は回線を閉結する（Ｓ１０２）。一方、ＳｉＤＡＡ１５１は、電話優先モードである回線を閉結しない。
【００２９】
Ｓ１０３にて、発呼者のメッセージの録音を開始する。ＣＰＵ１０１は、外付け電話機１４１が回線を閉結したことを、電流検出部１５３の検出により知る。
【００３０】
Ｓ１０４にて、ファクシミリ通信であることを示すＣＮＧ信号の検出して、第１の端子を介して受信する信号がファクシミリ信号であるか否かを判定する。ＣＮＧ信号を検出すれば（Ｙ）、ファクシミリ通信であると判定する。一方、ＣＮＧ信号が検出されなければ（Ｎ）、Ｓ１０６にて外付け電話機の録音部で音声の録音を行い、録音終了（Ｙ）によって、Ｓ１０６にて外付け電話機の回線を開放する。そして、Ｓ１０１着信待ちの状態に移行する。
【００３１】
Ｓ１０４にて、ＣＮＧ信号を検出すると、Ｓ１０７へ進む。Ｓ１０７にて、ＳｉＤＡＡ１５１の直流捕捉回路が動作して回線を閉結する。これにより電話回線は、モデムと接続される。次に、Ｓ１０８にてＳＷ１（スイッチ１）を切替える。外付け電話１４１と公衆回線（電話回線）とを接続する状態（第１状態）から、外付け電話１４１と電源部１１３が接続された状態（第２状態）へと切替える。この切替が行われる前に、短期間ではあるが外付け電話機１４１とＳｉＤＡＡ１５１の両方が公衆回線を閉結している状態となる。このスイッチＳＷ１の切替により、外付け電話機１４１と電源部１１３は接続され、電源部１１３からフック検出用の電圧が供給される。電流検出部１５３によりフック状態を検出することができる。
【００３２】
Ｓ１０９にてＳＷ２（スイッチ２）を制御し、外付け電話機１４１と電源部１１３ととの接続を遮断する。ここでは、ＳＷ２をオフに制御することで、外付け電話機１４１と電源部１１３との接続を切断する。この制御により、Ｓ１１０にて、外付け電話機１４１は録音動作を終了する。外付け電話機１４１は、二極端子Ｔ１，Ｔ２を介して供給する電圧が０ボルトになるので、確実に無音状態の検知を行うことができる。
【００３３】
そして、Ｓ１１１にてファクシミリ通信の終了をまつ。なお、Ｓ１０９の実行は、ファクシミリ通信の開始をトリガにして行うことで、ＣＰＵ１０１の制御を単純にしている。
【００３４】
Ｓ１１１にて通信が終了すれば（Ｙ）、Ｓ１１２にてスイッチＳＷ２を制御し、電源部１１３と外付け電話機１４１を接続状態にする。このときまでに、外付け電話機１４１は回線を開放する。次に、Ｓ１１３にて、ＳｉＤＡＡ１５１は回線を開放する。次に、Ｓ１１４にてＳＷ１を切替えて、外付け電話機１４１と電源部１１３とを接続している状態から外付け電話機１４１と公衆回線（電話回線）とを接続する状態へ移行させる。これにより、外付け電話機１４１について、次の着信の準備ができる。
【００３５】
次に、図４を用いて、ファクシミリ装置の動作及び外付け電話機１４１の動作について説明する。図４では、左から右へ時間が経過している。
【００３６】
タイミングＴ１にて着信すると、外付け電話機１４１はタイミングＴ２にて閉結する。そして、タイミングＴ３にて録音を開始する。一方、ＳｉＤＡＡ１５１は、ＣＮＧ信号を検出すると、タイミングＴ４にて閉結する。ＳｉＤＡＡ１５１はＣＰＵ１０１へ通知する。そして、ＣＰＵ１０１は、タイミングＴ５にてＳＷ１を第２の状態から第１の状態へ切替え、タイミングＴ６にてＳＷ２をオンからオフへ切替える。これにより、外付け電話機１４１は回線を開放し、タイミングＴ７にて録音を停止する。従来であれば、ファクシミリ通信が終了するまで録音を行っていたが、上述したように、録音を開始して期間Ｒで終了させることができる。これにより、録音のために使用するメモリ量を抑制することができる。
【００３７】
次に、タイミングＴ８にて、ＳｉＤＡＡ１５１のファクシミリ通信処理が終了すると、ＳｉＤＡＡ１５１はＣＰＵ１０１へ通知する。ＣＰＵ１０１は、タイミングＴ９にてＳＷ２をオフからオンへ切替える。タイミングＴ１０にて、ＳｉＤＡＡ１５１は回線を開放する。タイミングＴ１１にて、ＣＰＵ１０１は、タイミングＴ９にてＳＷ１を第１の状態から第２の状態へ切替える。
【００３８】
タイミングＴ１１以降、ファクシミリ装置は、タイミング１と同様の状態に戻る。
【００３９】
なお、期間Ａは、回線電流を用いてフック検出を行う期間である。期間Ｂは、電源部１１３からの電力供給を用いてフック検出を行う期間である。期間Ｃは、フック検出が出来ない期間であるが、タイミングＴ８まではファクシミリ通信を行っておりフック検出は不要である。ファクシミリ通信後のタイミングＴ８からタイミングＴ９は、ＳＷ２の切替えに要する時間は短いので無視できる。
【００４０】
以上のファクシミリ装置によれば、フック検出を適切に行いつつ、ファクシミリ受信を行った場合に無駄な録音処理を抑制することができる。すなわち、外付けの電話機が留守番モードのときにファクシミリ受信したら、使用する回線網によらず録音を確実に終了させることができる。また、コストアップを避けて上述のファクシミリ装置を実現することができる。
【００４１】
［第２実施形態］
次に、第２実施形態について説明する。図５は、ＳｉＤＡＡ１５１が備える制御部１０４の構成を説明する図である。第１実施形態と同様の部分は重複の説明を省き、相違する内容について説明する。
【００４２】
図５のＳＷは、外付け電話機１４１の接続先を切替えるスイッチ（リレー）ＳＷである。このスイッチＳＷは、ＣＰＵ１０１からの指示Ｃ＿ＳＷにより制御される。図５（Ａ）は、外付け電話機１４１が、公衆回線に接続されている状態を示す図である。図５（Ｂ）は、外付け電話機１４１は、オープン端子に接続されており、接続されていない状態（オープン状態）を示す図である。図５（Ｃ）は、外付け電話機１４１が、電源部１１３に接続されている状態を示す図である。
【００４３】
第１実施形態で説明したように、図５（Ａ）の状態で、電話優先モードが設定されていると、公衆回線から着信があれば、外付け電話機１４１は、受信する音声信号（音声データ）を録音する。
【００４４】
そして、ＣＮＧ信号の検出を行い、ＣＮＧ信号を検出すればＳｉＤＡＡ１５１からＣＰＵ１０１へ通知される。そして、ＣＰＵ１０１からの指示Ｃ＿ＳＷにより、ＳＷが切り替わる。ＣＰＵ１０１からの指示Ｃ＿ＳＷにより図５（Ｂ）に示す状態に変更される。これにより、外付け電話機１４１は録音を終了する。そして、ファクシミリ通信が終了した後、ＣＰＵ１０１からの指示Ｃ＿ＳＷにより図５（Ｃ）に示す状態に変更される。これにより、外付け電話機１４１は電源部１１３と接続された状態になる。
【図面の簡単な説明】
【００４５】
【図１】実施形態におけるファクシミリ装置の構成を説明する図
【図２】第１の実施形態における制御部を説明する図
【図３】ファクシミリ装置の制御フローを示す図
【図４】ファクシミリ装置の動作のタイミングを説明する図
【図５】第２の実施形態における制御部を説明する図
【符号の説明】
【００４６】
１０１  ＣＰＵ
１０４  制御部（通信制御部）
１０５  モデム
１５１  ＳｉＤＡＡ
【図１】
2010178181.tif 000003
【図２】
2010178181.tif 000004
【図３】
2010178181.tif 000005
【図４】
2010178181.tif 000006
【図５】
2010178181.tif 000007